(57)【要約】【課題】容易に取り付けることができると共に安全性を高めることができるクランプカバーを提供する。【解決手段】複数の単管パイプ２をクランプ金具４を介して組み立てる構造物に使用され、単管パイプ２の端部を保護するクランプカバー１０であって、単管パイプ２の端部に組み付けられる筒状部１１と、筒状部１１に向かう方向にクッション性を有し、筒状部１１を単管パイプ２の端部に組み付けた状態で、単管パイプ２の端部およびその近傍に位置するクランプ金具４を覆うように延在するカバー部１３とを備えた。【選択図】図１
2011241588.tif 000002
【特許請求の範囲】
【請求項１】
複数の単管パイプをクランプ金具を介して組み立てる構造物に使用され、前記単管パイプの端部を保護するクランプカバーであって、
前記単管パイプの端部に組み付けられる筒状部と、
前記筒状部に向かう方向にクッション性を有し、前記筒状部を単管パイプの端部に組み付けた状態で、前記単管パイプの端部およびその近傍に位置するクランプ金具を覆うように延在するカバー部と
を備えたことを特徴とするクランプカバー。
【請求項２】
前記筒状部の一方の開口を塞ぎ、クッション性を有する壁部を備えたことを特徴とする請求項１に記載のクランプカバー。
【請求項３】
前記筒状部の外周部または内周部には、前記筒状部を単管パイプに挿入する際に、前記筒状部を単管パイプの内方または外方へ導くリブが形成されていることを特徴とする請求項１または請求項２に記載のクランプカバー。
【請求項４】
前記カバー部の外形状を角形状にしたことを特徴とする請求項１から請求項３のいずれか１つに記載のクランプカバー。
【請求項５】
複数の単管パイプをクランプ金具を介して組み立てる仮設手すりであって、
前記単管パイプの端部を保護するために、前記単管パイプの端部に組み付けられる筒状部と、前記筒状部に向かう方向に対してクッション性を有し、前記筒状部を単管パイプの端部に組み付けた状態で、前記単管パイプの端部および近傍に位置するクランプ金具を覆うように延在するカバー部とを備えたクランプカバーを使用したことを特徴とする仮設手すり。
【請求項６】
前記単管パイプを支持する脚部が視覚的に楽しむことのできる形状に形成されたものであることを特徴とする請求項５に記載の仮設手すり。
【発明の詳細な説明】
【技術分野】
【０００１】
本発明は、単管パイプを組み立てて構成される仮設手すり等において使用されるクランプカバー、およびこれを用いた仮設手すりに関する。
【背景技術】
【０００２】
従来、工事現場等において人の侵入を防止するための仮設手すりが使用されている（例えば、特許文献１参照）。この仮設手すり１０１は、図５に示すように、脚部１０３と、この脚部の上部および中央部に組み付けられた単管パイプ１０２とによって構成されている。また、脚部１０３には、この脚部１０３と単管パイプ１０２とを組み立てるためのクランプ金具１０４が設けられている。このような仮設手すり１０１は、工事現場の広さ等に合わせてその長さを自由に調整して組み立てられる点で利便性を有する。
【０００３】
また、このような仮設手すり１０１は、特に脚部１０３の上部に設けられたクランプ金具１０４が仮設手すりの上方向外側に向けて露出してしまうため、安全のためにこのクランプ金具１０４に被せる樹脂製の保護カバー１０５が使用されている。また、単管パイプ１０２の端部も脚部１０３から横方向外側に向けて突出する態様で組み立てられるため、この単管パイプ１０２の端部に被せるための樹脂製の保護カバー１０６も使用されている。
【０００４】
さらに、近年において、この仮設手すり１０１の脚部１０３には、単管パイプ１０２を支持するための機能のみだけでなく、例えば、脚部１０３の全体の形状を猿や象などの図柄を取り入れて、味気ない外観を視覚的に楽しませようとする製品が登場している。
【先行技術文献】
【特許文献】
【０００５】
【特許文献１】特開２００２−２８５７０４号公報
【発明の概要】
【発明が解決しようとする課題】
【０００６】
しかしながら、上述した２つの保護カバー１０５、１０６は、仮設手すりが組み立てられた後のそれぞれの部位に別個に取り付けられるものである。そのため、この取り付けも個々に行わなければならず、取り付けおよび取り外し作業に手間がかかる。
また、従来の２つのカバーは樹脂で形成されたものであり、このカバーを取り付けた状態では、クランプ金具や単管パイプの端部がそのまま露出している状態と比較して安全性は高まる。しかしながら、よりいっそう安全性を高めることが望ましい。
さらに、２つの保護カバー１０５、１０６は、それぞれの部位を個々に覆うだけであるため、その２つの保護カバー１０５、１０６の間から単管パイプ１０２も見えてしまう。そのため、意匠的に見栄えが悪い。
【０００７】
本発明は、上述した事情を鑑みてなされたものであり、容易に取り付けることができると共に安全性を高めることができるクランプカバーを提供するためのものである。また、安全性を向上させることができると共に意匠性を向上させることができるクランプカバーを用いた仮設手すりを提供するためのものである。
【課題を解決するための手段】
【０００８】
上述課題を解決するため、本発明は、複数の単管パイプをクランプ金具を介して組み立てる構造物に使用され、前記単管パイプの端部を保護するクランプカバーであって、前記単管パイプの端部に組み付けられる筒状部と、前記筒状部に向かう方向にクッション性を有し、前記筒状部を単管パイプの端部に組み付けた状態で、前記単管パイプの端部およびその近傍に位置するクランプ金具を覆うように延在するカバー部とを備えたことを特徴とする。
この構成によれば、単管パイプの端部に取り付ける保護カバーと、クランプ金具に取り付ける保護カバーとを兼ねた一体のクランプカバーを使用することで、一つの部品でこの両方を保護することができるようになる。また、カバー部のクッション性によって、例えば人や物が当たったときに、この人や物を十分に保護することができるようになる。さらに、クランプカバーの隙間から単管パイプが目視できないようになる。
【０００９】
また、前記筒状部の一方の開口を塞ぎ、クッション性を有する壁部を備えるようにしてもよい。
この構成によれば、クッション性を維持しつつ、クランプカバーをある程度の角形に形成することができるようになる。
【００１０】
さらに、前記筒状部の外周部または内周部には、前記筒状部を単管パイプに挿入する際に、前記筒状部を単管パイプの内方または外方へ導くリブを形成してもよい。
この構成によれば、クランプカバーを単管パイプの端部に取り付け易くなり、クランプカバーの取り付け作業性が向上する。
【００１１】
さらにまた、前記カバー部の外形状を角形状にすることもできる。
この構成によれば、クランプカバーに軽度の負荷に抗する程度の剛性を持たせることができる。
【００１２】
他方、上述課題を解決するため、本発明は、複数の単管パイプをクランプ金具を介して組み立てる仮設手すりであって、前記単管パイプの端部を保護するために、前記単管パイプの端部に組み付けられる筒状部と、前記筒状部に向かう方向にクッション性を有し、前記筒状部を単管パイプの端部に組み付けた状態で、前記単管パイプの端部およびその近傍に位置するクランプ金具を覆うように延在するカバー部とを備えたクランプカバーを使用したことを特徴とする。
この構成によれば、通行人等が触れる可能性の高い仮設手すりの単管パイプの端部を効果的に保護することができる。
【００１３】
また、前記単管パイプを支持する脚部が視覚的に楽しむことのできる形状に形成されたものであってもよい。
この構成によれば、仮設手すりの端部に位置する脚部周りを意匠的に向上させることができる。
【発明の効果】
【００１４】
本発明に係るクランプカバーによれば、単管パイプの端部に組み付けられる筒状部と、前記筒状部に向かう方向に対してクッション性を有し、前記筒状部を単管パイプの端部に組み付けた状態で、前記単管パイプの端部および近傍に位置するクランプ金具を覆うように延在するカバー部とを備えているので、単管パイプの端部に取り付ける保護カバーと、クランプ金具に取り付ける保護カバーとを兼ねた一体のクランプカバーを取り付けるだけで、この両方を保護することができるようになる。そのため、一つのクランプカバーを取り付けるだけでよいので、取り付け作業性が向上する。
【００１５】
また、カバー部のクッション性によって、例えば人や物が当たったときに、この人や物を十分に保護することができるので、より安全性を向上させることができる。
さらに、クランプカバーの隙間から単管パイプが目視できないようになるので、クランプカバーを取り付けた部分の意匠性が向上する。
【００１６】
一方、本発明に係る仮設手すりによれば、単管パイプの端部を保護するために、前記単管パイプの端部に組み付けられる筒状部と、前記筒状部に向かう方向にクッション性を有し、前記筒状部を単管パイプの端部に組み付けた状態で、前記単管パイプの端部およびその近傍に位置するクランプ金具を覆うように延在するカバー部とを備えたクランプカバーを使用しているので、通行人等が触れる可能性の高い仮設手すりの単管パイプの端部を効果的に保護することができ、安全性を高めることができる。また、取り付け作業が一回で済むため、取り付け作業の負荷を軽減することができる。さらに、単管パイプを見えないようにすることにより、仮設手すりの脚部の見た目をよくし、意匠性を向上させることができる。
【図面の簡単な説明】
【００１７】
【図１】本発明の実施の形態に係るクランプカバーを用いた仮設手すりの外観斜視図である。
【図２】図１の状態におけるクランプカバーの分解斜視図である。
【図３】クランプカバーを単体で示した正面図である。
【図４】（Ａ）はクランプカバーの正面図、（Ｂ）は（Ａ）の側面図、（Ｃ）は（Ａ）のＡ−Ａ線における断面図、（Ｄ）は（Ａ）の底面図である。
【図５】従来の保護カバーを使用した仮設手すりの分解斜視図である。
【発明を実施するための形態】
【００１８】
以下、本発明の実施の形態に係るクランプカバーについて、図面を用いて詳細に説明する。図１は、本発明の実施の形態に係るクランプカバーを取り付けた仮設手すりの外観斜視図である。また、図２は、クランプカバーを分解した状態を示す分解斜視図を示す。
【００１９】
仮設手すり１は、図１および図２に示すように、上下に並べて配置され、水平方向へ延びる２本の単管パイプ２（その上側を２ａ、下側を２ｂとする）と、これらの単管パイプ２ａ、２ｂを支持する脚部３とで構成されている。また、この脚部３には、単管パイプ２ａ、２ｂを脚部３に固定するための２つのクランプ金具４が設けられている。
【００２０】
単管パイプ２ａ、２ｂは、工事現場などで足場や柵などにも使用される、一般的なスチールパイプである。この単管パイプ２ａ、２ｂの組み立て長さを調節することによって、任意に仮設手すり１の長さを囲い範囲に適合させることができる。
【００２１】
脚部３は、樹脂で形成されたものであり、その外観を視覚的に楽しませることができる形態に形成されている。この脚部３は、図１に示すように、猿が両手を上げて上側の単管パイプ２ａを支持しているような形状であり、かつ、そのおなかの部分をくり抜いて、下側の単管パイプ２ｂを支持する形状に形成されている。この形状は、通行人の心を和ませ、工事中である煩わしさなどを持たれないようにするために採用されている。
なお、この猿の形状は一例であり、例えば、像やライオン、漫画のキャラクターなどを象ったものであってもよい。すなわち、外観から見て、微笑ましい形状のものなどを使用することができる。
【００２２】
このように、仮設手すり１を組み立てた状態では、図２に示すように、脚部３の上部に単管パイプ２ａの端部と、クランプ金具４とが外側に露出した状態になる。そのため、この仮設手すり１には、これらの保護カバーとして、脚部３の上部にクランプカバー１０が取り付けられている。このクランプカバー１０は、上述したクランプ金具４と単管パイプ２ａの端部とを隙間をあける態様で一緒に覆っている。
【００２３】
図３は、クランプカバー１０の単体斜視図である。また、図４（Ａ）はクランプカバーの正面図、（Ｂ）は（Ａ）の側面図、（Ｃ）は（Ａ）のＡ−Ａ線における断面図、（Ｄ）は（Ａ）の底面図である。
クランプカバー１０は、単管パイプ２ａの端部が挿入される筒状部１１と、この筒状部１１の一方の開口を塞ぐ壁部１２と、筒状部１１の外周部の外側を隙間をあけて覆うカバー部１３とで構成されている。これらの筒状部１１，壁部１２，カバー部１３は、樹脂成形によって一体に形成されている。また、使用される樹脂は、ある程度の弾性を有する樹脂材料が使用されている。
【００２４】
筒状部１１には、その外周部から法線方向に突出する４つのリブ１１ａが設けられている。この筒状部１１は、単管パイプ２の中空内部の内方に挿入される態様で取り付けられる。このとき、リブ１１ａの外縁部は、単管パイプ２の内周面と接触する態様で取り付けら、これらとの間の摩擦によって固定される。
【００２５】
このリブ１１ａは、筒状部１１の延在する方向に沿って延びている。また、リブ１１ａは、周方向に間隔をあけて等間隔（本実施の形態では、４等分の間隔）に形成されている。さらに、リブ１１ａには、単管パイプ２が挿入される方向の先端側に、テーパー１１ｂが形成されている。このテーパー１１ｂは、筒状部１１を単管パイプ２の内方へ案内し、筒状部１１が単管パイプ２に挿入し易いようにする機能を有している。
【００２６】
また、リブ１１ａの形状は、クランプカバー１０の金型を筒状部１１が延在する方向へ引き抜くように２つに割ることで成型することができるようにしている。これにより、一体成型を行うための金型を安価に製作することができる。
【００２７】
壁部１２は、筒状部１１の一方の開口（単管パイプに組み立てた状態で、単管パイプの端部を覆う側の開口）を塞ぎ、このクランプカバー１０で覆う部分（クランプ金具４および単管パイプ２の端部）の全体の側部を覆うことができる大きさに形成されている。また、この壁部１２は、略垂直方向に延びる平板形状に形成されている。この平板形状は、後述するカバー部１３に対して筒状部１１へ向かう方向に負荷が作用したときに、この壁部１２がおじぎをする態様で撓む程度の弾性を持たせるためのものである。また、この壁部１２は、クランプカバー１０を構成する際に、クランプカバー１０をある程度の角形に形成して、断面係数を増やして剛性を持たせるための役割も果たしている。
【００２８】
カバー部１３は、壁部１２の外周縁部から、筒状部１１の延在する方向へ向かって延びている。このカバー部１３は、筒状部１１の左右および上側に対して隙間をあけて覆う形状になっている。より詳細には、クランプカバー１０を単管パイプ２ａの端部に組み付けた状態で、単管パイプ２ａの端部と、この単管パイプ２ａの端部の付近（近傍）に位置し、単管パイプ２ａを脚部３に組み立てるためのクランプ金具４との上側および両側部の全体を覆うところまで延在している。
【００２９】
この隙間の大きさは、カバー部１３の弾性などを考慮して決定されている。また、クランプ金具４には種々の形状のものが販売されているが、これらの中で一番大きな形状のクランプ金具を使用した場合であっても、カバー部１３との間に隙間が形成されるように決定してもよい。
【００３０】
なお、このカバー部１３の下側には、カバー部１３が設けられていない。これは、クランプカバー１０を脚部３の上部に組み立てた状態では、脚部３の上部がクランプカバー１０の下側を覆う（塞ぐ）ようになっているためである。また、脚部３が下側を覆わない構造であっても、この方向から押圧力が作用することはなく、かつ、内部を目視することはないため問題はない。
【００３１】
このカバー部１３は板状に形成されており、壁部１２の外周縁部を基端として弾性を有する構造になっている。より詳細には、上述したカバー部１３にクランプ金具４側に向けて押圧力（例えば、人がぶつかってきた場合、手荷物が当たった場合などが想定できる）が作用した場合、このカバー部１３および上述した壁部１２が撓み、これらが押圧力に対してクッションの役割を果たす。これにより、クランプカバーに当たった人や物への衝撃を和らげ保護することができる。
【００３２】
また、このカバー部１３は、正面から見て、その外形状を略四角形状に形成している。この形状は、カバー部１３の外側からの押圧力に対してある程度の剛性を持たせるためであり、カバー部１３が軽い押圧力で簡単に押し潰されたり変形したりすることがないようにしている。なお、この四角形状は、ある程度の剛性を持たせることができるならば、他の角形状であってもよい。さらには、カバー部１３の板厚を厚くして剛性を持たせる場合には、角形状ではなくなだらかな曲線で繋いだ外形状（例えば、円、楕円など）にすることができる。
【００３３】
このクランプカバー１０の色彩は、脚部３の色と同色（例えば、お猿の色と同色の茶色）に形成することもできる。これにより、さらにクランプカバー１０の部位が目立たないようになり、見た目の印象を向上させ、視覚的に楽しめるようにすることができる。また、本実施形態の図１において、クランプカバー１０をりんごなどの形状を象って赤色に着色することで、脚部３のお猿の形状とクランプカバー１０の形状とが相互にマッチングして、より視覚的に楽しめるようにすることもできる。
【００３４】
また、図１および図２では記載していないが、脚部３と下側の単管パイプ２ｂとを接続する部分にも、当然にクランプカバー１０を取り付けることもできる。これにより、単管パイプ２ｂの端部を十分に保護することができると共に、脚部３の正面の全体から単管パイプ２ａ、２ｂが目視されないようになり、意匠性をさらに向上させることができる。
【００３５】
本発明の実施の形態に係るクランプカバー１０によれば、単管パイプ２の端部に組み付けられる筒状部１１と、筒状部１１の一方の開口を塞ぎ、クッション性を有する壁部１２と、筒状部１１に向かう方向に対してクッション性を有し、筒状部１１を単管パイプ２の端部に組み付けた状態で、単管パイプ２の端部および近傍に位置するクランプ金具４を覆うように延在するカバー部１３とを備えているので、単管パイプ２の端部に取り付ける保護カバーと、クランプ金具４に取り付ける保護カバーとを兼ねた一体のクランプカバー１０を取り付けるだけで、この両方を保護することができるようになる。そのため、一つのクランプカバー１０を取り付けるだけでよいので、取り付け作業性が向上する。
また、カバー部１３のクッション性によって、例えば人や物が当たったときに、この人や物を十分に保護することができるので、より安全性を向上させることができる。
さらに、クランプカバー１０の隙間から単管パイプ２が目視できないようになるので、クランプカバー１０を取り付けた部分の意匠性が向上する。
【００３６】
また、筒状部１１の外周部には、筒状部１１を単管パイプ２ａに挿入する際に、筒状部１１を単管パイプ２ａの内方へ導くリブ１１ａが形成されているので、クランプカバー１０を取り付ける際に、筒状部１１を単管パイプ２の端部の内方へ挿入し易くなる。そのため、クランプカバー１０の取り付け作業性が向上する。
【００３７】
さらに、カバー部１３の外形状を略四角形状にしているので、クランプカバー１０に軽度の負荷に抗する程度の剛性を持たせることができ、クランプカバー１０が簡単に破損するのを防止することができる。
【００３８】
一方、本発明の実施の形態に係る仮設手すり１によれば、単管パイプ２の端部を保護するために、単管パイプ２の端部に組み付けられる筒状部１１と、筒状部１１に向かう方向にクッション性を有し、筒状部１１を単管パイプ２の端部に組み付けた状態で、単管パイプ２の端部およびその近傍に位置するクランプ金具４を覆うように延在するカバー部１３とを備えたクランプカバー１０を使用しているので、通行人等が触れる可能性の高い仮設手すり１の単管パイプ２の端部を効果的に保護することができ、安全性を高めることができる。また、取り付け作業が一回で済むため、取り付け作業の負荷を軽減することができる。さらに、単管パイプ２を脚部３の正面側から見えないようにすることにより、仮設手すり１の脚部３の見た目をよくし、意匠性を向上させることができる。
【００３９】
また、単管パイプ２を支持する脚部３が視覚的に楽しむことのできる形状に形成されたものなので、仮設手すり１の端部に位置する脚部３周りの意匠性を向上させることができる。これにより、通行人に工事中であることの煩わしい感覚を和らげることができる。
【００４０】
以上、本発明の実施の形態に係る注意喚起用具について述べたが、本発明は既述の実施形態に限定されるものではなく、本発明の技術思想に基づいて各種の変形および変更が可能である。
例えば、本実施の形態では、構造物が仮設手すり１であって、クランプカバー１０は、その単管パイプ２の端部およびその近傍に位置するクランプ金具４を覆うように記載したが、仮設手すり１以外であっても使用することができる。例えば、作業者用の足場などにも取り付けることができる。
これによっても、取り付け作業を容易にし、かつ、安全性を高めることができるという効果を奏することができる。
【００４１】
また、脚部３に猿などのキャラクターを象った形状のものを使用せず、クランプカバー１０を単品で使用したとしても、構造的な特徴、すなわち、カバー部１３のクッション性や、取り付け容易性などの効果を有するので、クランプカバー１０を単品としても使用することができる。
【００４２】
さらに、本実施の形態では、クランプカバー１０として、筒状部１１、壁部１２およびカバー部１３を樹脂成型品で一体成型で製作しているが、別体で製作しても構わない。例えば、これらの部分を個々に製作して、接着等によって組み立てたものであっても構わない。このように組み立てたとしても、脚部３の正面側から単管パイプ２の端部およびクランプ金具４が視認できないようにすることができると共に、カバー部１３に作用した荷重に対してクッションの役割を果たすことができる。
【００４３】
また、本実施の形態では、筒状部１１を単管パイプ２の内方に挿入するように記載したが、単管パイプ２を筒状部１１の中空形状の内方に挿入する態様で組み立ててもよい。この場合、リブは、筒状部１１の内周面から中心方向に向けて突出させるようにし、このリブの先端部と単管パイプ２の外周面とが接触するようにすればよい。
【００４４】
さらに、本実施の形態では、クランプカバー１０は、筒状部１１、壁部１２、カバー部１３で構成されているが、壁部１２をカバー部１３で兼ねるようにして構成することもできる。すなわち、クッション性を有するカバー部１３によって単管パイプ２の端部およびクランプ金具４を覆うことによって、取り付け性を向上させ、安全性を高め、さらに意匠性を高めることができる。
【符号の説明】
【００４５】
１  仮設手すり
２  単管パイプ
２ａ  上側の単管パイプ
２ｂ  下側の単管パイプ
３  脚部
４  クランプ金具
１０  クランプカバー
１１  筒状部
１１ａ  リブ
１１ｂ  テーパー
１２  壁部
１３  カバー部
１０１  仮設手すり
１０２  単管パイプ
１０３  脚部
１０４  クランプ金具
１０５、１０６  保護カバー
【図１】
2011241588.tif 000003
【図２】
2011241588.tif 000004
【図３】
2011241588.tif 000005
【図４】
2011241588.tif 000006
【図５】
2011241588.tif 000007